(57)【要約】【課題】ビスを含む一切の別部品を用いることなく、走行用の車輪及びカバーを掃除機本体に取り付けることができるため、構成部品の点数及び種類を低減することができるとともに、製品の廃棄や再利用を行うために製品を分解する際に、製品を容易に分解及び分別することができ、デザイン性を損なうことなく、リサイクル性を向上させることができる電気掃除機の提供。【解決手段】吸引風を発生させる電動送風機を内蔵する掃除機本体と、掃除機本体に設けられた第１のボスと、第１のボスと嵌合する第２のボスが設けられており、掃除機本体の側面の少なくとも一部を覆う第１のカバーと、第１のボス及び第２のボスのうちの何れか一方に軸支されており、掃除機本体と第１のカバーとで挟持される走行用の車輪と、を有する電気掃除機。【選択図】図１
2011224150.tif 000002
【特許請求の範囲】
【請求項１】
吸引風を発生させる電動送風機を内蔵する掃除機本体と、
前記掃除機本体に設けられた第１のボスと、
前記第１のボスと嵌合する第２のボスが設けられており、前記掃除機本体の側面の少なくとも一部を覆う第１のカバーと、
前記第１のボス及び前記第２のボスのうちの何れか一方に軸支されており、前記掃除機本体と前記第１のカバーとで挟持される走行用の車輪と、
を有する電気掃除機。
【請求項２】
前記車輪は、前記第１のボスに軸支されており、かつ、前記第１のボスの内部に前記第２のボスが挿入され、前記第１のボスと前記第２のボスとが嵌合することで前記掃除機本体と前記第１のカバーとで挟持される請求項１に記載の電気掃除機。
【請求項３】
前記第１のボスには、前記第１のボスの内周から前記第１のボスの軸心に向かって延設された係止部が設けられており、前記第２のボスには、前記係止部と嵌合する係止爪部が設けられており、前記係止爪部は、前記第１のカバーを前記掃除機本体に取り付け完了した状態において、前記係止部に嵌合する位置に設けられている請求項２に記載の電気掃除機。
【請求項４】
前記第１のボスには、少なくとも２つの前記係止部が略等間隔に設けられており、  前記係止爪部の幅は、前記係止部間の間隔よりも狭く形成されている請求項３に記載の電気掃除機。
【請求項５】
前記掃除機本体の上面には、前記掃除機本体の上面を覆う第２のカバーが設けられており、前記第２のカバーには、固定リブが設けられており、前記第１のカバーには、前記固定リブと嵌合する固定爪部が設けられており、前記固定リブ及び前記固定爪部は、前記車輪の回転軸を中心として前記第１のカバーを回動させた際に、前記第１のカバーの回動を妨げない形状とした請求項１〜４のうちの何れか１項に記載の電気掃除機。
【発明の詳細な説明】
【技術分野】
【０００１】
本発明は、電気掃除機に関する。
【背景技術】
【０００２】
従来の電気掃除機としては、使用者が電気掃除機を持ち運ぶ際に、被清掃面上の塵埃等で汚れた車輪が使用者の衣類に接触し使用者の衣類に汚れが付着することを防止することで、電気掃除機の使用性を向上させるべく、掃除機本体の側面に車輪を覆うカバーを設けた構成が提案されている（例えば、特許文献１参照）。
【０００３】
すなわち、図１１に示すように、掃除機本体１０６は、後方には塵埃を吸引する電動機を収納する電動機室１０１を、前方には吸引した塵埃を集める集塵室１０２を有する下本体１０３の後方左右に設けられた略円筒形状のローラー軸支部（図示せず）と、このローラー軸支部に装着、回転自在に設けられたローラー１０８と、上本体１０４の一部から延設されてローラー１０８を覆うローラーカバー１０９と、を有しており、ローラーカバー１０９は、ローラー軸支部へビス１１１によって締結されることで、掃除機本体１０６に固定されている。
【先行技術文献】
【特許文献】
【０００４】
【特許文献１】特開２００６−２２３４３０号公報
【発明の概要】
【発明が解決しようとする課題】
【０００５】
しかしながら、上記従来の電気掃除機においては、リサイクル性を向上させるという観点からは未だ改善の余地があった。
【０００６】
すなわち、上記従来の電気掃除機においては、ローラーカバーはビスにより掃除機本体に取り付けられるため、製品の廃棄や再利用を行うために製品を分解する際に、ビスを取り外して分解する必要があった。そのため、製品の分解に手間が掛かり、リサイクル性を低下させてしまう場合があった。また、ビスを取り外して製品を分解した後においても、掃除機本体、車輪、及びローラーカバー等の樹脂で構成された部品と金属製のビスとに材料毎に分別する必要があった。そのため、分解後の分別にも手間が掛かり、リサイクル性を低下させてしまう場合があった。
【０００７】
また、上記従来の電気掃除機においては、ローラーカバーはビスにより掃除機本体に取り付けられるため、ローラーカバーにビスを取り付けるためのビス穴を設ける必要があるが、このローラーカバーに設けられたビス穴は、近年の複雑な３次元曲面を持つ流麗な製品デザインにおいて、デザイン性を低下させる要因となっていた。そのため、ローラーカバーに設けられたビス穴を別部品で塞ぐ構成も提案されているが、この構成においては、製品の廃棄や再利用を行うために製品を分解する際に、ビス穴を塞いでいる部品を取り外した後にビスを取り外す必要があるため、さらに製品の分解に手間が掛かり、リサイクル性を低下させてしまう場合があった。
【０００８】
本発明は、上記従来技術の有する課題に鑑みてなされたものであり、走行用の車輪及びローラーカバーの固定にビスを含む一切の別部品を用いず、構成部品の点数及び種類を低減することができるとともに、製品の廃棄や再利用を行うために製品を分解する際に、製品を容易に分解及び分別することができ、デザイン性を損なうことなく、リサイクル性を
向上させることができる電気掃除機を提供することを目的とする。
【課題を解決するための手段】
【０００９】
上記従来技術の有する課題を解決するために、本発明は、吸引風を発生させる電動送風機を内蔵する掃除機本体と、掃除機本体に設けられた第１のボスと、第１のボスと嵌合する第２のボスが設けられており、掃除機本体の側面の少なくとも一部を覆う第１のカバーと、第１のボス及び第２のボスのうちの何れか一方に軸支されており、掃除機本体と第１のカバーとで挟持される走行用の車輪と、を有する電気掃除機を提供する。
【００１０】
上述のように、本発明の電気掃除機は、走行用の車輪が、掃除機本体に設けられた第１のボス及び掃除機本体の側面の少なくとも一部を覆う第１のカバーに設けられた第２のボスのうちの何れか一方に軸支され、掃除機本体と第１のカバーとで挟持されているものである。
【００１１】
そのため、本発明の電気掃除機によれば、ビスを含む一切の別部品を用いることなく、走行用の車輪及びカバーを掃除機本体に取り付けることができるため、構成部品の点数及び種類を低減することができるとともに、製品の廃棄や再利用を行うために製品を分解する際に、製品を容易に分解及び分別することができ、デザイン性を損なうことなく、リサイクル性を向上させることができる。
【発明の効果】
【００１２】
本発明の電気掃除機によれば、ビスを含む一切の別部品を用いることなく、走行用の車輪及びカバーを掃除機本体に取り付けることができ、構成部品の点数及び種類を低減することができるとともに、製品の廃棄や再利用を行うために製品を分解する際に、製品を容易に分解及び分別することができ、デザイン性を損なうことなく、リサイクル性を向上させることができるようになる。
【図面の簡単な説明】
【００１３】
【図１】（ａ）本発明の電気掃除機の実施の形態１における組み立て完了状態での掃除機本体の前面斜視図、（ｂ）本発明の電気掃除機の実施の形態１における組み立て完了状態での掃除機本体の後面斜視図
【図２】（ａ）本発明の電気掃除機の実施の形態１における第１のカバー及び車輪を取り外した状態での掃除機本体の前面斜視図、（ｂ）本発明の電気掃除機の実施の形態１における第１のカバー及び車輪を取り外した状態での掃除機本体の後面斜視図
【図３】本発明の電気掃除機の実施の形態１における組み立て完了状態での掃除機本体の側面図
【図４】図３に示した電気掃除機のＡ−Ａ線での断面図
【図５】（ａ）本発明の電気掃除機の実施の形態１における組み立て完了状態での図４に示したＣ−Ｃ線での拡大断面図、（ｂ）本発明の電気掃除機の実施の形態１における分解状態での図４に示したＣ−Ｃ線での拡大断面図
【図６】（ａ）本発明の電気掃除機の実施の形態１における分解状態での掃除機本体の前面斜視図、（ｂ）本発明の電気掃除機の実施の形態１における分解状態での掃除機本体の後面斜視図
【図７】図３に示した電気掃除機のＢ−Ｂ線での断面図
【図８】図６に示した電気掃除機の第２のカバーの固定部のＤ矢視図
【図９】図６に示した電気掃除機の第２のカバーの固定部のＥ矢視図
【図１０】本発明の電気掃除機の実施の形態２における組み立て完了状態での第１のボス及び第２のボスの嵌合状態を示す拡大断面図
【図１１】従来の電気掃除機における掃除機本体を示す側面図
【発明を実施するための形態】
【００１４】
第１の発明は、吸引風を発生させる電動送風機を内蔵する掃除機本体と、掃除機本体に設けられた第１のボスと、第１のボスと嵌合する第２のボスが設けられており、掃除機本体の側面の少なくとも一部を覆う第１のカバーと、第１のボス及び第２のボスのうちの何れか一方に軸支されており、掃除機本体と第１のカバーとで挟持される走行用の車輪と、を有する電気掃除機としたものである。
【００１５】
これにより、ビスを含む一切の別部品を用いることなく、走行用の車輪及びカバーを掃除機本体に取り付けることができるため、構成部品の点数及び種類を低減することができるとともに、製品の廃棄や再利用を行うために製品を分解する際に、製品を容易に分解及び分別することができ、デザイン性を損なうことなく、リサイクル性を向上させることができる。
【００１６】
第２の発明は、特に第１の発明において、車輪は、第１のボスに軸支されており、かつ、第１のボスの内部に第２のボスが挿入され、第１のボスと第２のボスとが嵌合することで掃除機本体と第１のカバーとで挟持される構成としたものである。
【００１７】
これにより、車輪を掃除機本体へ取り付けた際に生じる車輪と掃除機本体の取り付け部分とにおけるガタつきは、第１のボスと車輪との隙間に依存するため、ガタつきを小さくすることが可能となり、スムーズな回転が得られるとともに、製品落下時などに大きな衝撃を受ける車輪の軸が本体の非外観部へ取り付けられる第１のボスとなるため、外観の樹脂ヒケを気にせずに第１のボスの肉厚を設定することが出来る。
【００１８】
第３の発明は、特に第２の発明において、第１のボスには、第１のボスの内周から第１のボスの軸心に向かって延設された係止部が設けられており、第２のボスには、係止部と嵌合する係止爪部が設けられており、係止爪部は、第１のカバーを掃除機本体に取り付け完了した状態において、係止部に嵌合する位置に設けられている構成としたものである。
【００１９】
これにより、第１のカバーは車輪の軸において軸の長手方向への固定もされるため、車輪に外部からの大きな荷重や衝撃を受けた際に第１のカバーや車輪が外れるのを十分に防止することが出来る。
【００２０】
第４の発明は、特に第３の発明において、第１のボスには、少なくとも２つの係止部が略等間隔に設けられており、係止爪部の幅は、係止部間の間隔よりも狭く形成されている構成としたものである。
【００２１】
これにより、第１のカバーの掃除機本体への篏着は、第１のカバーを車輪の軸を中心に回転動作させることによって完了するため、係止爪部を樹脂の弾性等を利用して固定する構造に比較して小さな力で組み立てることが出来るとともに、分解する際にも大きな力を要さず、更には分解と組み立てを繰り返しても係止部や係止爪部に削れ・変形などの劣化が生じないため、内部の修理などを実施した後のリユース性も高めることが出来る。
【００２２】
第５の発明は、特に第４の発明において、掃除機本体の上面には、掃除機本体の上面を覆う第２のカバーが設けられており、第２のカバーには、固定リブが設けられており、第１のカバーには、固定リブと嵌合する固定爪部が設けられており、固定リブ及び固定爪部は、車輪の回転軸を中心として第１のカバーを回動させた際に、第１のカバーの回動を妨げない形状としたものである。
【００２３】
これにより、第２のカバーの掃除機本体への固定は、第１のカバーの車輪の軸を中心とした回転動作と同時に完了するため、各々の部品に個別の固定手段を設ける構造と比較し
て組み立ての工程数を減らすことが出来る。
【００２４】
以下、図面を参照しながら本発明の電気掃除機の好適な実施形態について詳細に説明する。なお、以下の説明では、同一または相当部分には同一符号付し、重複する説明は省略する。
【００２５】
（実施の形態１）
本発明の実施の形態１について、図１〜図９を用いて説明する。
【００２６】
図１（ａ）は、本発明の電気掃除機の実施の形態１における組み立て完了状態での掃除機本体の前面斜視図、図１（ｂ）は、本発明の電気掃除機の実施の形態１における組み立て完了状態での掃除機本体の後面斜視図である。また、図２（ａ）は、本発明の電気掃除機の実施の形態１における第１のカバー及び車輪を取り外した状態での掃除機本体の前面斜視図、図２（ｂ）は、本発明の電気掃除機の実施の形態１における第１のカバー及び車輪を取り外した状態での掃除機本体の後面斜視図である。さらに、図３は、本発明の電気掃除機の実施の形態１における組み立て完了状態での掃除機本体の側面図である。また、図４は、図３に示した電気掃除機のＡ−Ａ線での断面図である。さらに、図５（ａ）は、本発明の電気掃除機の実施の形態１における組み立て完了状態での図４に示したＣ−Ｃ線での拡大断面図、図５（ｂ）は、本発明の電気掃除機の実施の形態１における分解状態での図４に示したＣ−Ｃ線での拡大断面図である。また、図６（ａ）は、本発明の電気掃除機の実施の形態１における分解状態での掃除機本体の前面斜視図、図６（ｂ）は、本発明の電気掃除機の実施の形態１における分解状態での掃除機本体の後面斜視図である。さらに、図７は、図３に示した電気掃除機のＢ−Ｂ線での断面図である。また、図８は、図６に示した電気掃除機の第２のカバーの固定部のＤ矢視図である。さらに、図９は、図６に示した電気掃除機の第２のカバーの固定部のＥ矢視図である。
【００２７】
図１及び図２に示すように、電気掃除機（図示せず）は、吸引風を発生させる電動送風機（図示せず）を内蔵する掃除機本体１と、被清掃面の塵埃を吸引する吸込具（図示せず）と、一端が掃除機本体１の前方に設けられた吸込口２０に着脱自在に接続されるホース（図示せず）と、一端がホース（図示せず）に着脱自在に接続され、他端が吸込具（図示せず）に着脱自在に接続される延長管とから構成されている。
【００２８】
ここで、本実施の形態における「前方」及び「前面」とは、図１に示す矢印Ｓの方向及び矢印Ｓ側の面である。また、「後方」及び「後面」とは、図１に示す矢印Ｔの方向及び矢印Ｔ側の面である。さらに、「左」および「左側面」とは、図１に示す矢印Ｖの方向及び矢印Ｖ側の面である。また、さらに、「右」および「右側面」とは、図１に示す矢印Ｕの方向及び矢印Ｕ側の面である。
【００２９】
図１〜図３に示すように、掃除機本体１は、主として、掃除機本体１の左右両側面に設けられており、掃除機本体１の側面の一部を覆う第１のカバーである外カバー３と、掃除機本体１の後方の上面に設けられており、掃除機本体１の上面の一部を覆う第２のカバーである上カバー８と、掃除機本体１の後面に設けられており、掃除機本体１の後面を覆う後カバー９と、掃除機本体１の左右両側面に設けられており、掃除機本体１と外カバー３とで回転自在に挟持された一対の走行用の車輪２と、から構成されている。また、この外カバー３、上カバー８、及び後カバー９組み合わせにより、掃除機本体１の後部の外観が構成されている。
【００３０】
図２及び図４に示すように、掃除機本体１の後方の左右両側面には、掃除機本体１の後方の左右両側面から外側に向かって延設されるとともに、走行用の車輪２を回転自在に軸支する第１のボス４が設けられている。
【００３１】
図２、図４、及び図５に示すように、第１のボス４には、第１のボス４の内周から第１のボス４の軸心Ｐに向かって延設された複数の係止リブ５が延設されている。この係止リブ５は、第１のボス４に略等間隔で配置されている。また、外カバー３には、第１のボス４の内部に挿入され、第１のボス４と回転自在に嵌合する第２のボス６が設けられている。第２のボス６の掃除機本体１側の端部には、複数の係止リブ５と嵌合する係止爪部７が設けられている。この係止爪部７は、外カバー３を掃除機本体１に取り付け完了した状態（図１に示す状態）において、第２のボス６の掃除機本体１側の端部の係止リブ５に嵌合する位置に設けられている。また、係止爪部７の幅Ｗ１は、係止リブ５間の間隔Ｗ２よりも小さくなるように形成されている。
【００３２】
図７〜９に示すように、外カバー３の上端の内側には固定爪部１０が設けられている。また、上カバー８には、外カバー３の固定爪部１０と嵌合する固定リブ１１が設けられている。固定爪部１０は、少なくとも前方を開放する形状とされており、固定リブ１１は少なくとも後方を開放とされている。そのため、外カバー３の固定爪部１０及び上カバー８の固定リブ１１は、外カバー３を掃除機本体１に取り付け完了した状態（図１に示す状態）においては、互いに嵌合するとともに、車輪２の回転軸を中心として外カバー３を上方に回動させた状態、すなわち、外カバー３の分解状態（図６に示す状態）においては、固定爪部１０及び固定リブ１１の嵌合が解除されるようになる。また、後カバー９は、後方から掃除機本体１に固定されており、外カバー３が外カバー３の分解状態（図６に示す状態）となる向きに回転することを阻止する形状とされている。ここで、車輪２の回転軸は、第１のボス４の軸心Ｐと同一であり、外カバー３の回転軸も第１のボス４の軸心Ｐと同一である。
【００３３】
以上のように構成された電気掃除機について、以下その動作、作用を説明する。
【００３４】
図１、図４、及び図５（ａ）に示すように、外カバー３を掃除機本体１に取り付け完了した状態（図１に示す状態）、すなわち、掃除機本体１の組み立て完了状態においては、車輪２は、第１のボス４に回転自在に軸支されるとともに、掃除機本体１及び外カバー３によって挟持されている。このとき、外カバー３に設けた第２のボス６の係止爪部７は、第１のボス４に設けた係止リブ５の掃除機本体１側の端部と嵌合しているため、第２のボス６が第１のボス４から抜けることがなく、走行用の車輪２を保持することができる。
【００３５】
図２、図５（ｂ）、及び図６に示すように、製品の廃棄や再利用を行うために製品を分解する場合、後カバー９を取り外した後、車輪２の回転軸を中心として外カバー３を上方に回動させることで、外カバー３を掃除機本体１から取り外すことができる。
【００３６】
すなわち、外カバー３の分解状態（図６に示す状態）においては、車輪２の回転軸を中心として外カバー３を上方に回動させることで、外カバー３に設けた第２のボス６の係止爪部７と第１のボス４に設けた係止リブ５の掃除機本体１側の端部との嵌合が解除される。このとき、係止爪部７の幅Ｗ１は、係止リブ５間の間隔Ｗ２よりも小さくなるように形成されているため、外カバー３を引き抜くことで、簡単に第１のボス４から第２のボス６を引き抜くことができ、簡単に外カバー３及び車輪２を掃除機本体１から取り外すことができる。また、固定爪部１０が少なくとも前方を開放する形状とされており、かつ、固定リブ１１が少なくとも後方を開放とされているため、上カバー８を取り外すことなく、外カバー３を回動させることができ、簡単に外カバー３を取り外すことができる。
【００３７】
以上のように、本実施の形態における電気掃除機においては、掃除機本体１の組み立て完了状態においては、外カバー３に設けた第２のボス６の係止爪部７と第１のボス４に設けた係止リブ５の掃除機本体１側の端部とが嵌合されており、外カバー３の分解状態にお
いては、車輪２の回転軸を中心として外カバー３を上方に回動させることで、外カバー３に設けた第２のボス６の係止爪部７と第１のボス４に設けた係止リブ５の掃除機本体１側の端部との嵌合が解除される構成とされているため、後カバー９を取り外した後、外カバー３を上方に回動させるだけで簡単に外カバー３を掃除機本体１から取り外すことができ、リサイクル性を向上させることができる。
【００３８】
また、車輪２は、第１のボス４に軸支されるとともに、第１のボス４と第２のボス６とが嵌合することによって、掃除機本体１と外カバー３とで回転自在に挟持されているため、ビスを含む一切の別部品を用いることなく、走行用の車輪２及び外カバー３を掃除機本体１に取り付けることができ、構成部品の点数及び種類を低減することができ、リサイクル性を向上させることができる。
【００３９】
さらに、車輪２及び外カバー３は、第１のボス４と第２のボス６とが嵌合することで掃除機本体１に取り付けられているため、ビスを含む一切の別部品を用いることなく、走行用の車輪２及び外カバー３を掃除機本体１に取り付けることができる。そのため、外カバー３にビス止め用にビス穴を設ける必要が無く、デザイン性を向上させることができる。
【００４０】
（実施の形態２）
以下、本発明の実施の形態２について、図１０を用いて説明する。なお、上述した実施の形態１と重複する構成については、説明を省略する。
【００４１】
図１０は、本発明の電気掃除機の実施の形態２における組み立て完了状態での第１のボス及び第２のボスの嵌合状態を示す拡大断面図である。
【００４２】
図１０に示すように、外カバー３には、外カバー３から掃除機本体１側に向かって延設されるとともに、走行用の車輪２を回転自在に軸支する第２のボス６が設けられている。掃除機本体１には、第２のボス６の内部に挿入され、第２のボス６と嵌合する第１のボス４が設けられている。第２のボス６には、第２のボス６の内周から第２のボス６の軸心Ｐに向かって延設された複数の係止リブ５が延設されている。この係止リブ５は、第２のボス６に略等間隔で配置されている。第１のボス４の外カバー３側の端部には、複数の係止リブ５と嵌合する係止爪部７が設けられている。この係止爪部７は、外カバー３を掃除機本体１に取り付け完了した状態（図１に示す状態）において、第１のボス４の外カバー３側の端部の係止リブ５に嵌合する位置に設けられている。また、係止爪部７の幅Ｗ１は、係止リブ５間の間隔Ｗ２よりも小さくなるように形成されている。
【００４３】
以上のように構成された電気掃除機について、以下その動作、作用を説明する。
【００４４】
上述した実施の形態１と同様に、掃除機本体１の組み立て完了状態においては、車輪２は、第２のボス６に回転自在に軸支されるとともに、掃除機本体１及び外カバー３によって挟持されている。このとき、掃除機本体１に設けた第１のボス４の係止爪部７は、第２のボス６に設けた係止リブ５の外カバー３側の端部と嵌合しているため、第２のボス６が第１のボス４から抜けることがなく、走行用の車輪２を保持することができる。
【００４５】
製品の廃棄や再利用を行うために製品を分解する場合、後カバー９を取り外した後、車輪２の回転軸を中心として外カバー３を上方に回動させることで、外カバー３を掃除機本体１から取り外すことができる。
【００４６】
すなわち、外カバー３の分解状態（図６に示す状態）においては、車輪２の回転軸を中心として外カバー３を上方に回動させることで、掃除機本体１に設けた第１のボス４の係止爪部７と第２のボス６に設けた係止リブ５の外カバー３側の端部との嵌合が解除される
。このとき、係止爪部７の幅は、係止リブ５間の間隔よりも小さくなるように形成されているため、外カバー３を引き抜くことで、簡単に第１のボス４から第２のボス６を引き抜くことができ、簡単に外カバー３及び車輪２を掃除機本体１から取り外すことができる。また、固定爪部１０が少なくとも前方を開放する形状とされており、かつ、固定リブ１１が少なくとも後方を開放とされているため、上カバー８を取り外すことなく、外カバー３を回動させることができ、簡単に外カバー３を取り外すことができる。
【００４７】
以上のように、本実施の形態における電気掃除機においては、掃除機本体１の組み立て完了状態においては、掃除機本体１に設けた第１のボス４の係止爪部７と第２のボス６に設けた係止リブ５の外カバー３側の端部とが嵌合されており、外カバー３の分解状態においては、車輪２の回転軸を中心として外カバー３を上方に回動させることで、外カバー３に設けた第１のボス４の係止爪部７と第２のボス６に設けた係止リブ５の外カバー３側の端部との嵌合が解除される構成とされているため、後カバー９を取り外した後、外カバー３を上方に回動させるだけで簡単に外カバー３を掃除機本体１から取り外すことができ、リサイクル性を向上させることができる。
【００４８】
また、車輪２は、第２のボス６に軸支されるとともに、第１のボス４と第２のボス６とが嵌合することによって、掃除機本体１と外カバー３とで回転自在に挟持されているため、ビスを含む一切の別部品を用いることなく、走行用の車輪２及び外カバー３を掃除機本体１に取り付けることができ、構成部品の点数及び種類を低減することができ、リサイクル性を向上させることができる。
【００４９】
さらに、車輪２及び外カバー３は、第１のボス４と第２のボス６とが嵌合することで掃除機本体１に取り付けられているため、ビスを含む一切の別部品を用いることなく、走行用の車輪２及び外カバー３を掃除機本体１に取り付けることができる。そのため、外カバー３にビス止め用にビス穴を設ける必要が無く、デザイン性を向上させることができる。
【００５０】
以上、本発明の電気掃除機の実施の形態１及び実施の形態２について説明したが、本発明の電気掃除機は上述した実施の形態１及び実施の形態２の電気掃除機に限定されるものではない。
【００５１】
例えば、上述した実施の形態１及び実施の形態２においては、係止リブが複数設けられている構成について説明したが、係止リブは１つだけ設けられていてもよい。この場合、係止リブの形状としては、例えば、係止リブを第１のボスまたは第２のボスの内周の略全周に設けるとともにその一部に隙間を設けた形状とすることで、掃除機本体に振動や衝撃が加わった際にも掃除機本体と外カバーとを確実に嵌合させることができる。
【産業上の利用可能性】
【００５２】
本発明の電気掃除機は、ビスを含む一切の別部品を用いることなく、走行用の車輪及びカバーを掃除機本体に取り付けることができ、構成部品の点数及び種類を低減することができるとともに、製品の廃棄や再利用を行うために製品を分解する際に、製品を容易に分解及び分別することができ、デザイン性を損なうことなく、リサイクル性を向上させることができるようになるため、家庭用及び業務用電気掃除機の分野・用途に好適に適用することができる。
【符号の説明】
【００５３】
１  掃除機本体
２  車輪
３  外カバー
４  第１のボス
５  係止リブ
６  第２のボス
７  係止爪部
８  上カバー
９  後カバー
１０  固定爪部
１１  固定リブ
【図４】
2011224150.tif 000003
【図５】
2011224150.tif 000004
【図７】
2011224150.tif 000005
【図１１】
2011224150.tif 000006
【図１】
2011224150.tif 000007
【図２】
2011224150.tif 000008
【図３】
2011224150.tif 000009
【図６】
2011224150.tif 000010
【図８】
2011224150.tif 000011
【図９】
2011224150.tif 000012
【図１０】
2011224150.tif 000013